(57)【要約】【課題】電装部品取付時に画像形成装置本体の本体側基板に電気的ダメージが加わるのを抑制することが可能な画像形成装置を提供する。【解決手段】この画像形成装置１００は、装置本体１に設けられ、電装部品２０を取り付け可能な本体側基板１１と、本体側基板１１の外側を覆うカバー部材１２と、カバー部材１２が固定される金属製の本体フレーム１３と、カバー部材１２を本体フレーム１３に固定するための金属製のつまみねじ１４と、を備える。つまみねじ１４を回してカバー部材１２を本体フレーム１３から取り外すことによって、本体側基板１１に対する電装部品２０の取り付けが可能となる。【選択図】図４
2018028622.tif 000002
【特許請求の範囲】
【請求項１】
画像形成装置本体に設けられ、電装部品を取り付け可能な本体側基板と、
前記本体側基板の外側を覆うカバー部材と、
前記カバー部材が固定される金属製の本体フレームと、
前記カバー部材を前記本体フレームに固定するための金属製のつまみねじと、
を備え、
前記つまみねじを回して前記カバー部材を前記本体フレームから取り外すことによって、前記本体側基板に対する前記電装部品の取り付けが可能となることを特徴とする画像形成装置。
【請求項２】
前記電装部品が前記本体側基板に取り付けられた状態で、前記電装部品および前記カバー部材は、前記つまみねじを用いて共締めによって前記本体フレームに固定されていることを特徴とする請求項１に記載の画像形成装置。
【請求項３】
前記電装部品は、回路基板を含むことを特徴とする請求項１または２に記載の画像形成装置。
【請求項４】
前記回路基板は、無線通信用の回路基板であることを特徴とする請求項３に記載の画像形成装置。
【請求項５】
前記電装部品は、前記回路基板を保持する保持部材をさらに含むことを特徴とする請求項３または４に記載の画像形成装置。
【請求項６】
前記電装部品は、前記保持部材に保持されるアース板をさらに含み、
前記電装部品が前記本体側基板に取り付けられた状態で、前記アース板は前記保持部材と前記本体フレームとに挟まれ、前記回路基板は前記アース板を介して前記本体フレームにアース接続されていることを特徴とする請求項５に記載の画像形成装置。
【請求項７】
前記保持部材の前記本体側基板とは反対側の部分には、把持部が設けられていることを特徴とする請求項５または６に記載の画像形成装置。
【請求項８】
前記カバー部材の外側を覆う外側カバー部材をさらに備えることを特徴とする請求項１〜７のいずれか１項に記載の画像形成装置。
【発明の詳細な説明】
【技術分野】
【０００１】
本発明は、画像形成装置に関し、特に、電装部品を取り付け可能な本体側基板を備えた画像形成装置に関する。
【背景技術】
【０００２】
複合機等の画像形成装置は、オプションで無線通信機能やファクシミリ機能等を追加することが可能である。そのようなオプション機能を追加するためには、オプション部品としての電装部品を画像形成装置本体の本体側基板に取り付ける必要がある。画像形成装置へのオプション部品の取り付けは、画像形成装置の設置時や使用開始後に設置作業者やユーザーによって行われる。
【０００３】
なお、オプション部品を画像形成装置本体に取り付けた画像形成装置は、例えば特許文献１に開示されている。
【先行技術文献】
【特許文献】
【０００４】
【特許文献１】特開平１０−１３３４４３号公報
【発明の概要】
【発明が解決しようとする課題】
【０００５】
しかしながら、従来の画像形成装置では、特に、ユーザーがオプション部品としての電装部品を画像形成装置本体の本体側基板に取り付ける場合には、静電気によって画像形成装置本体の本体側基板を破損してしまう場合があるという問題点があった。
【０００６】
本発明は、上記のような課題を解決するためになされたものであり、本発明の目的は、電装部品取付時に画像形成装置本体の本体側基板に電気的ダメージが加わるのを抑制することが可能な画像形成装置を提供することである。
【課題を解決するための手段】
【０００７】
上記目的を達成するために、本発明の第１の構成の画像形成装置は、画像形成装置本体に設けられ、電装部品を取り付け可能な本体側基板と、本体側基板の外側を覆うカバー部材と、カバー部材が固定される金属製の本体フレームと、カバー部材を本体フレームに固定するための金属製のつまみねじと、を備える。つまみねじを回してカバー部材を本体フレームから取り外すことによって、本体側基板に対する電装部品の取り付けが可能となる。
【発明の効果】
【０００８】
本発明の第１の構成によれば、カバー部材を金属製の本体フレームに固定するための金属製のつまみねじを備え、つまみねじを回してカバー部材を本体フレームから取り外すことによって、本体側基板に対する電装部品の取り付けが可能となる。これにより、ユーザー等が電装部品を本体側基板に取り付けるためにつまみねじに触れた際に、ユーザー等の体内の電荷が本体フレームに放電される。このため、その後ユーザー等が本体側基板に触れたとしても静電気によって本体側基板に電気的ダメージが加わるのを抑制することができる。
【図面の簡単な説明】
【０００９】
【図１】本発明の一実施形態の画像形成装置の構造を示した図である。
【図２】本発明の一実施形態の画像形成装置の構造を背面側から示した図である。
【図３】本発明の一実施形態の画像形成装置のカバー部材周辺の構造を示した図である。
【図４】本発明の一実施形態の画像形成装置のカバー部材周辺の構造を示した図である。
【図５】本発明の一実施形態の画像形成装置の本体側基板周辺の構造を示した図である。
【図６】本発明の一実施形態の画像形成装置に取り付けられる電装部品の構造を示した図である。
【図７】本発明の一実施形態の画像形成装置に電装部品を取り付けた状態を示した図である。
【図８】本発明の一実施形態の画像形成装置の本体側基板に電装部品を取り付けた状態を示した図である。
【発明を実施するための形態】
【００１０】
以下、本発明の実施形態について図面を参照して説明する。
【００１１】
図１〜図８を参照して、本発明の一実施形態による画像形成装置１００について説明する。図１に示すように、画像形成装置１００（ここでは一例としてデジタル複合機を示す）は、装置本体（画像形成装置本体）１と、その上部に配設された画像読取装置２と、を備える。
【００１２】
画像読取装置２の正面部には、操作ボタンや表示部を有する操作パネル３が設けられている。画像読取装置２の上部には、コンタクトガラス２ａ上に載置された原稿を押えるプラテン６（図２参照）が開閉可能に設けられており、プラテン６上には画像読取装置２に原稿を自動搬送する原稿搬送装置７（図２参照）が付設されている。なお、図１では、プラテン６および原稿搬送装置７を省略している。
【００１３】
画像読取装置２と装置本体１との間には、左側面及び正面に向けて大きく開放された胴内排紙空間４が設けられている。
【００１４】
装置本体１の正面部には、用紙（記録媒体）を収納する給紙カセット５が装置本体１に対して着脱可能に設けられている。
【００１５】
装置本体１の内部には、図示しない画像形成部、定着部、用紙搬送部などが設けられている。画像形成部は、画像読取装置２により読み込んだ画像データに基づいて、供給される用紙にトナー像を転写して画像を形成するものである。画像形成部は、静電潜像を担持する感光体ドラム、感光体ドラムの表面を帯電させる帯電ユニット、原稿画像に対応する静電潜像を感光体ドラムの表面にレーザービーム等によって形成する露光ユニット、形成された静電潜像に現像剤を付着させてトナー像を形成する現像ユニット、トナー像を用紙に転写する転写ローラー、感光体ドラム表面の残留トナーを除去するクリーニングブレード等を含んでいる。また、定着部は、トナー像が転写された用紙を加熱及び加圧することにより、用紙上にトナー像を定着させる。用紙搬送部は、給紙カセット５から画像形成部に用紙を搬送する。
【００１６】
次に、装置本体１の背面１ａの構造について説明する。
【００１７】
図２に示すように、装置本体１の背面１ａの所定部分には、装置本体１に対して着脱可能で外装カバーの一部を構成する外側カバー部材１０が設けられている。外側カバー部材１０の装置内側には図３および図４に示すように、装置本体１に固定された本体側基板１１（図５参照）の外側を覆う樹脂製のカバー部材１２と、カバー部材１２が固定される本体フレーム１３（図５参照）と、カバー部材１２を本体フレーム１３に固定するための金属製のつまみねじ（手ビス、手締めねじとも言う）１４と、が設けられている。
【００１８】
本体側基板１１は図５に示すように、装置本体１に設けられており、オプション部品としての電装部品２０（図６参照）を取り付け可能となっている。本体側基板１１には、電装部品２０を着脱可能な第１コネクター１１ａが装置外側（背面側）に向かって設けられている。
【００１９】
カバー部材１２は図４および図７に示すように、装置外側に突出し、ユーザー等に把持される突出部１２ａと、つまみねじ１４が挿入される挿入穴１２ｂと、を有する。突出部１２ａには、電装部品２０の後述する保持部材２２の把持部２２ａ（図６参照）に接触するのを回避するための凹部１２ｃ（図７参照）が形成されている。本体フレーム１３には図５および図７に示すように、つまみねじ１４を取り付けるためのねじ穴１３ａが形成されている。
【００２０】
電装部品２０は、主に画像形成装置１００の使用開始後にユーザーによって装置本体１に取り付けられる。電装部品２０は図６および図７に示すように、回路基板２１と、回路基板２１を保持する樹脂製の保持部材２２と、保持部材２２に固定され、回路基板２１のグランド端子に電気的に接続される金属製のアース板２３と、によって構成されている。
【００２１】
回路基板２１は、無線通信用の回路基板であり、ＩＣチップ２１ａと、ＩＣチップ２１ａに電気的に接続されたアンテナ（図示せず）と、ＩＣチップ２１ａに電気的に接続された第２コネクター２１ｂと、を含んでいる。
【００２２】
保持部材２２には、電装部品２０を本体側基板１１に取り付けた状態で本体側基板１１とは反対側に突出し、ユーザー等が把持する把持部２２ａが設けられている。また、保持部材２２の下部には、つまみねじ１４が挿入される切り欠き２２ｂが設けられている。なお、保持部材２２には、切り欠き２２ｂではなく挿入穴が設けられていてもよい。
【００２３】
アース板２３の下部には、つまみねじ１４が挿入される挿入穴２３ａが設けられている。なお、アース板２３には、挿入穴２３ａではなく切り欠きが設けられていてもよい。
【００２４】
この画像形成装置１００では、製品出荷時（製造直後）には、電装部品２０は装置本体１に取り付けられておらず、カバー部材１２は本体側基板１１の外側を覆った状態でつまみねじ１４によって本体フレーム１３に取り付けられている。このため、つまみねじ１４を回してカバー部材１２を本体フレーム１３から取り外さない限り、電装部品２０を本体側基板１１に取り付けることができないとともに、ユーザー等が本体側基板１１に触れることができない。なお、つまみねじ１４が本体フレーム１３のねじ穴１３ａに取り付けられた状態で、つまみねじ１４は本体フレーム１３に電気的に接続され、グランド電位になっている。
【００２５】
画像形成装置１００の使用開始後にユーザーによって（又は、画像形成装置１００を所定位置に設置する際に設置作業者によって）電装部品２０を装置本体１に取り付ける場合は、まず、図２の状態から外側カバー部材１０を装置本体１から取り外す。そして、図３および図４の状態からつまみねじ１４を回して本体フレーム１３から取り外し、カバー部材１２を本体フレーム１３から取り外すことによって、図５に示すように本体側基板１１に対する電装部品２０の取り付けが可能となる。なお、ユーザーがつまみねじ１４に触れた際に、ユーザーの体内の電荷が本体フレーム１３に放電される。
【００２６】
その後、電装部品２０の保持部材２２の把持部２２ａを把持しながら、回路基板２１の第２コネクター２１ｂを本体側基板１１の第１コネクター１１ａに取り付けることによって、図８の状態になる。そして図７に示すように、カバー部材１２を電装部品２０の外側を覆うように配置した状態で、つまみねじ１４をカバー部材１２の挿入穴１２ｂ、保持部材２２の切り欠き２２ｂおよびアース板２３の挿入穴２３ａに挿通するとともに、本体フレーム１３のねじ穴１３ａに固定する。このとき、電装部品２０およびカバー部材１２は、つまみねじ１４を用いて共締めによって本体フレーム１３に固定される。また、このとき、アース板２３は保持部材２２と本体フレーム１３とに挟まれ、保持部材２２によって本体フレーム１３に押圧される。そして、回路基板２１はアース板２３を介して本体フレーム１３にアース接続される。
【００２７】
その後、図２に示すように、外側カバー部材１０を装置本体１に対して取り付けることによって、装置本体１に対する電装部品２０の取り付け作業が完了する。
【００２８】
本実施形態では、上記のように、つまみねじ１４を回してカバー部材１２を本体フレーム１３から取り外すことによって、本体側基板１１に対する電装部品２０の取り付けが可能となる。これにより、ユーザー等が電装部品２０を本体側基板１１に取り付けるためにつまみねじ１４に触れた際に、ユーザー等の体内の電荷が本体フレーム１３に放電される。このため、その後ユーザー等が本体側基板１１に触れたとしても静電気によって本体側基板１１に電気的ダメージが加わるのを抑制することができる。
【００２９】
また、上記のように、電装部品２０が本体側基板１１および本体フレーム１３に取り付けられた状態で、電装部品２０およびカバー部材１２は、つまみねじ１４を用いて共締めによって本体フレーム１３に固定されている。これにより、電装部品２０を容易に本体フレーム１３に固定することができる。
【００３０】
また、上記のように、無線通信用の回路基板２１を含む電装部品２０を装置本体１に取り付ける場合、ユーザーによって取付作業が行われることが多いので、このような場合に本発明を適用することは、特に効果的である。
【００３１】
また、上記のように、電装部品２０は、回路基板２１を保持する保持部材２２を含む。これにより、ユーザー等が回路基板２１に触れるのを抑制することができるので、静電気によって回路基板２１に電気的ダメージが加わるのを抑制することができる。
【００３２】
また、上記のように、電装部品２０が本体側基板１１および本体フレーム１３に取り付けられた状態で、アース板２３は保持部材２２と本体フレーム１３とに挟まれ、回路基板２１はアース板２３を介して本体フレーム１３にアース接続されている。これにより、回路基板２１を本体フレーム１３に容易にアース接続することができる。
【００３３】
また、上記のように、保持部材２２の本体側基板１１とは反対側の部分には、把持部２２ａが設けられている。これにより、電装部品２０の取り付け作業性を向上させることができる。
【００３４】
また、上記のように、カバー部材１２の外側を覆う外側カバー部材１０が設けられている。これにより、ユーザーが本体側基板１１やカバー部材１２に接触するのを抑制することができるとともに、本体側基板１１に埃等が付着するのを抑制することができる。
【００３５】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００３６】
例えば、複合機に本発明を適用した例について示したが、本発明はこれに限らず、複写機、プリンター、ファクシミリ等の、電装部品を取り付け可能な本体側基板を備えた種々の画像形成装置に本発明を適用できる。
【００３７】
また、上記実施形態では、電装部品として、無線通信用の回路基板２１を含む電装部品２０を用いる例について示したが、本発明はこれに限らず、装置制御用基板、画像処理用基板、ファクシミリ機能拡張ユニットおよびハードディスクユニット等の電装部品を用いてもよい。
【００３８】
また、上記実施形態では、つまみねじ１４を本体フレーム１３から取り外すことによってカバー部材１２を本体フレーム１３から取り外すことが可能となる例について示したが、本発明はこれに限らない。例えばアース板２３に挿入穴２３ａに代えて切り欠きを設け、つまみねじ１４を緩めることによってカバー部材１２を本体フレーム１３から取り外すことが可能となるように構成してもよい。
【００３９】
また、上記実施形態では、回路基板２１を本体側基板１１に取り付けた後、カバー部材１２を本体フレーム１３に固定する例について示したが、回路基板２１を本体側基板１１に取り付けた後、カバー部材１２を本体フレーム１３に固定しなくてもよい。
【符号の説明】
【００４０】
１  装置本体（画像形成装置本体）
１０  外側カバー部材
１１  本体側基板
１２  カバー部材
１３  本体フレーム
１４  つまみねじ
２０  電装部品
２１  回路基板
２２  保持部材
２２ａ  把持部
２３  アース板
１００  画像形成装置
【図１】
2018028622.tif 000003
【図２】
2018028622.tif 000004
【図３】
2018028622.tif 000005
【図４】
2018028622.tif 000006
【図５】
2018028622.tif 000007
【図６】
2018028622.tif 000008
【図７】
2018028622.tif 000009
【図８】
2018028622.tif 000010